(57)【要約】　　　（修正有）【課題】ＶＶＦケーブルの被覆を同時に二段剥離し、作業を省力化する被覆剥離工具を提供する。【解決手段】ＶＶＦケーブルを挿入口１から挿入し、ガイド２に沿って奥に直進させ、突き当て板７に突き当てる。シース及び絶縁体を切断する上下２枚のビニル絶縁体切断刃４と、シースのみを切断する上下２枚のシース切断刃３を、連動板５によって同時に連動して、ＶＶＦケーブルを狭窄し、シースおよびビニル絶縁体を同時に二段に剥離する。【選択図】図１
2004120992.tif 000002
【特許請求の範囲】
【請求項１】
シース切断刃と絶縁体切断刃の二種類の刃を連動して狭窄させることによりＶＶＦケーブルのビニルシースとシース及び芯線被覆のビニル絶縁体を同時に二段剥離するＶＶＦケーブル被覆剥離工具
【発明の詳細な説明】
【０００１】
【産業上の利用分野】屋内配線工事で現在主要な工法となっているＶＶＦ配線工事の分岐・器具接続時の省力化を行う。
【０００２】
【従来の技術】一般的にケーブルは丸型であるがＶＶＦケーブルだけは扁平である。丸型ケーブルに対しては様々な被覆の剥離法は考案されており、ＶＶＦケーブルにおいても剥離作業を必要としない分岐コネクター（特開２０００−１１５９７９他）が開発されているが器具接続は従来通りの被覆の剥離が行われている。分岐接続と器具接続を比較すると作業量としては器具接続の方が多く行われ特にＶＶＦでは分岐接続を避け器具渡り配線されることが多く、また前出のコネクターは芯線の太さ芯線の本数分岐の種類に応じそれぞれの分岐に適したコネクターの種類が必要であるのと差し込みコネクターと比較すると高価であるため従来通りの剥離法で被覆を剥離し圧着乃至は差し込みコネクター等で分岐接続するのが現在でも主流である。この剥離法では外皮であるシースを剥ぎ取ったあと芯線を被覆しているビニル絶縁体を剥離して銅線を剥き出し、圧着接続するか差し込みコネクターか器具端子に銅線を差し込んで接続される。手作業で行う場合は、ナイフで外皮のシースに切れ目を入れ縦に引き裂いてシースを取り、次にビニル絶縁体に切れ目を入れペンチで絶縁体を引き剥がすという手順になる。また既存のＶＶＦストリッパーも外皮であるシース用の刃にＶＶＦを装着しハンドルを狭窄してシースを剥ぎ取り、次にビニル絶縁体用の刃に芯線を装着しハンドルを狭窄してビニル絶縁体を引き剥がす。いずれの方法でもシースを剥離する工程とビニル絶縁体を剥離する工程の二工程が必要である。この被覆の剥離法は分岐が捻り巻きつけ接続され器具接続でも巻きつけネジ締め接続していた時代から変わっておらず、その時代ではシースもビニル絶縁体もある程度長い目に剥ぎ取りあとから必要な長さを調整し余長を切断する必要があった。しかし現在のＶＶＦ配線工事は差し込みコネクターと差し込み端子が主流となり分岐器具接続作業の一部は大幅に省力化されているが、被覆の剥離作業だけは在来のままで省力化されていない。
【０００３】
【課題を解決するための手段】差し込みコネクター及び差し込み端子接続ではビニル絶縁体の剥離長は１２ミリが一般的である。シースの剥離長も特殊なケースを除きある程度の範囲で固定することができるので、それぞれの位置にシース及びビニル絶縁体を切断する上下２枚のビニル絶縁体切断刃（以降絶縁体切断刃と略す）とシースのみを切断する上下２枚のシース切断刃を設置し同時に狭窄すればシースおよびビニル絶縁体を同時に被覆を二段に剥離することができる。
【０００４】
【発明の実施の形態】ケーブル挿入口とＶＶＦを直進させるガイドと位置決めの基準となる突き当て板と上下にスライドする絶縁体切断刃と同じく上下にスライドするシース切断刃とで構成し、シース切断刃と絶縁体切断刃は連動して開閉する構造とする。絶縁体切断刃はシースとビニル絶縁体を切断し、シース切断刃はシースのみを切断する。絶縁体切断刃は突き当て板より内側１２ミリの位置に取り付け、シース切断刃は絶縁体切断刃より適当な位置に取り付ける。いずれの刃も切り残しが無いように鋭利である必要があり、刃が鋭利であればあるほど切断後ＶＶＦをケースから引く力を小さくすることができる。
【０００５】
【実施例】ＶＶＦケーブルで一般的に使用される種類は１．６ｍｍ２芯３芯と２．０ｍｍ２芯３芯の４種類である。１．６ｍｍと２．０ｍｍとでは太さが異なり２芯と３芯では幅が異なるため、単純には４種類の刃形状のセットが必要となる。これを一種類の刃形状のセットで兼用しようとするとシースやビニル絶縁体に切り残しが発生し、既存のＶＶＦストリッパーのように強い引っ張り力で被覆を引き裂く必要がある。しかしそれぞれの種類に応じた刃形状を用意し、ビニル絶縁体を傷つけない範囲でシースのみを最大限切断するシース切断刃▲３▼と、銅線を傷つけない範囲で極限までシース及びビニル絶縁体のみを切断する絶縁体切断刃▲４▼で上下から狭窄し締め切れば引っ張り力はそれほど必要とせずにどちらの被覆も同時に剥離することができる。すなわち刃の形状の精度が高ければ高いほど引き抜き力を小さくする事ができる。シース切断刃はシース内縁を象った上下２枚に二等分し内縁部分も刃形状を持たせる。絶縁体切断刃はビニル絶縁体の内縁を象った上下２枚に二等分し内縁部分も刃形状を持たせる。この二種類の刃を横幅はＶＶＦの幅の２〜３倍の程度、奥行きは１２ｍｍプラス５ｃｍ程度プラスケーブルガイド長プラス挿入口長、高さはＶＶＦの厚みプラス切断刃の幅プラス切断刃動作余長程度のケース（約４ｃｍ×８ｃｍ×２ｃｍ程度）に装着する。ケースの前面に挿入口▲１▼を設けその内側にはＶＶＦが奥に直進するようにガイド▲２▼をもうける。ケースの一番奥が突き当て板▲７▼で直進したＶＶＦはここで停止する。突き当て板から手前に１２ｍｍ戻った地点が絶縁体切断刃▲４▼の設置位置であり、そこから１〜５ｃｍ手前に戻った地点がシース切断刃▲３▼の設置位置である。シース切断刃の位置は固定でも良いが１〜５ｃｍの範囲で移動できる構造のほうが利便性は高い。それぞれの歯の設置位置には刃を上下にスライドさせるためのガイドレール▲６▼を取り付け噛み合わせ切りすぎ防止のストッパーを設ける。また刃は閉じる力が無くなればスプリングなどのようなもので自動的に元の位置に復帰する必要がある。二種類の刃を連動させる方法はいろいろあるが、一番単純な方法は上刃の上部同士下刃の下部同士を連動板▲５▼で結べばよい。この上下の連動板に力を加え狭窄していけば刃は中心に向かって動いていき、ストッパーに突き当たるまで閉めるとシース及びビニル絶縁体が切断される。この状態でＶＶＦをケーブル挿入口から引き抜くとシース及びビニル絶縁体は閉じられた刃に阻止されてそのままケース内に残り、力を解放すると刃はもとの位置に戻る。ケース内の剥離された被覆殻はケースを傾けると最奥の下部に設けた廃棄口からケース外部に放出される。
【０００６】以上は一種類のＶＶＦケーブルに対し一セットの刃形状を想定しているのでＶＶＦの種類ごとにそれぞれの刃形状が必要となるが、刃の鋭利さを甘くし引っ張り力を強くすれば太さの異なるＶＶＦも同一の刃形状で兼用できるし、芯数に応じシース切断刃と位置を変えれば２芯３芯にも対応できる。いずれの場合でも構造を複雑化すれば刃形状を兼用することが可能であるが、４種類のケースを合体化しケースの片側を１．６ｍｍ２芯３芯用もう一方の側に２．０ｍｍ２芯３芯用とすれば一つのケースで四種類のＶＶＦに対応することができる。長さは２倍になるが幅は省略できる部分があるので２倍以下（約１６ｃｍ×５ｃｍ×２ｃｍ程度）に収まり工具として持ち運びするのにも苦にならない。
【０００７】
【発明の効果】被覆を同時に二段剥ぎできればＶＶＦの被覆の剥離作業は大幅に省力化される。また被覆の剥離長が事前に設定されているので余長を切断すると言う作業も無くなり無駄な廃棄物も発生せず、剥離過剰剥離不足と言う作業不良も軽減される。
【図面の簡単な説明】
【図１】ケースの内部を透視した図である
【図２】ＶＶＦの動きと切断刃の動きを対比した図である
【符号の説明】
▲１▼　挿入口
▲２▼　ケーブルガイド
▲３▼　シース切断刃
▲４▼　絶縁体切断刃
▲５▼　連動板
▲６▼　ガイドレール
▲７▼　突き当て板
【図１】
2004120992.tif 000003
【図２】
2004120992.tif 000004